(57)【要約】      （修正有）【課題】書類をファイルする綴じ紐の端子を結ぶ事無く、ワンタッチ操作で結滞の出来る綴じ紐を提供する。【解決手段】軟質材合成樹脂材で成る台座１面の溝２付き出っ張り２ａの、とば口の２辺に沿って、等間隔で成る、溝２より巾の広い切り込み孔３が開口部を傾斜面３ａにして成る留め体４から成り、その台座１側面には一体化する細長い紐状部５を連結し、これらの端子は棒状の案内部６を持ち、更に紐状部５の外周に沿って等間隔で連なる円形体７を一体化し、その太さは案内部６の太さよりやや小さくし、これらの円形体７が留め体４に設けた切り込み孔３に夫々れ符号あいまって、押し圧Ｐを受けて差し込まれ、切り込み孔３の開口部は軟質材の伸縮弾発力で、とば口の２辺は無理開きにて傾斜面３ａの端部３ｂ下に潜り込み閉じ、双方が固着される。【選択図】図１
0003126189.tif 000002
【実用新案登録請求の範囲】
【請求項１】
軟質材合成樹脂材で成る台座面の溝付き出っ張りの、とば口の２辺に沿って、幾つかの等間隔で成る、溝より巾の広い切り込み孔が開口部を傾斜面にして成る留め体から成り、その台座側面には一体化する細長い紐状部を連結し、これらの端子は棒状の案内部を持ち、更に紐状部の外周に沿って等間隔で連なる円形体を一体化し、その太さは案内部の太さよりやや小さくし、これらの円形体が留め体に設けた切り込み孔に夫々れ符号あいまって、押し圧を受けて差し込まれるが、差し込まれて切り込み孔の開口部は軟質材の伸縮弾発力で、無理開きにて傾斜面の端部の飛び出し直下に潜り込み閉じ、双方ガ固着されるこれらの構造に依って、書類に設けた２つの綴じ孔に通された案内部と、其れに連なる円形体は、紙面に置かれる留め体にワンタッチ操作で、書類や、非結束体の結滞と解除を自在にしたことを特徴とする、留め具付き綴じ紐。
【請求項２】
前記する留め体の台座面の溝付き出っ張りに並列して、凸状の抜け止め付きでのスリットを設け、これらのスリットに紐状部を挟み込み着脱可能にし、書類の背面に留め体を配置可能にしたことを特徴とする、請求項１記載の留め具付き綴じ紐。
【請求項３】
前記する留め体の台座側面に設けた細長い円形体付きの紐状部と同じものを、もう一本台座側面の反対側に一体化し、更に前記留め部相当の部位を２列にし、双方の切り込み孔に、夫々の紐状部に設けた円形体を差し込み着脱可能にし、書類背面に留め体を設置可能にしたことを特徴とする、請求項１記載の留め具付き綴じ紐。
【考案の詳細な説明】
【技術分野】
【０００１】  この考案は書類やカタロ等を綴じるのに、事務具の孔開けパンチで２個の孔を開け、ファイル等を使わずに綴じ込む紐に関し、若しくは、非結束体を結滞するのに綴じ紐の端を結ばずに綴じる事の出来る留め具付き綴じ紐に関する。
【背景技術】
【０００２】  この種の従来の技術として一般的に知られる綴じ紐は、書類やカタログ等の整理保存するのに書類の裏と表に厚手の表紙を重ねて、孔開けパンチで開口する２個の綴じ孔に細長い綴じ紐をこの綴じ孔に差し込んで両端子を蝶結び等で固く結ばれて、書類やカタログ等がファイルされる。【０００３】  これらの細長い綴じ紐は、両端子のほつれを防ぐのにコーティングが施され固めたれているのが一般的で、材質は天然繊維、合成繊維ポリエステル等で出来、且つこれらの長さも４０センチ、７０センチと何種類かの長さが設定され其のなかで選択する事が出来る。【０００４】  このようにバインダー付きの書類ファイルと違い、ボール紙を２枚使って手軽にローコストで管理が出来綴じる厚みも特に限定される事無く、部厚い綴じ込みが出来る等で広く使用さ、且つ他の非結束体の結滞、例えば農作物やガーデンニングの吊り棚の仕組みや支え棒に植物を結滞するのに使われる。
【考案の開示】
【考案が解決しようとする課題】
【０００５】
【０００６】  しかしながら上記す従来技術の場合は、綴じ込む書類に孔開けパンチで孔を開け、綴じている綴じ紐を解き表厚紙を外して、書類に２本の綴じ紐を綴じ孔に差し込みを積み上げて、再度表紙を乗せ綴じ紐の両端子を指先を使い結び付けるに、指先の使い加減で結び目が固かったり、緩かったりすることで緩い結びは綴じ紐が解け書類がばらつき、固く結び付けた綴じ紐は解くのに難が有る等の課題が有る。【０００７】  又綴じ紐の材質が合成繊維でなるポリアセタールやポリエステルの様に軟らかさがなく結び目を固結びが出来難いため不測に解けてしまう等の課題が残る。
【課題を解決するための手段】
【０００８】  この考案は，かかる課題を解決する為に，請求項１での考案は図１、図２（ａ）（ｂ）、図５で述べるように軟質材合成樹脂材で成る台座１面の溝２付き出っ張り２ａの、とば口の２辺に沿って、溝２より巾の広い等間隔で成る幾つかの切り込み孔３が開口部を傾斜面３ａでの留め体４から成り、其の台座１側面には一体化する細長い紐状部５を連結し、これらの端子は棒状の案内部６を持ち更に紐状部５の外周に沿うって等間隔で連なる円形体７を一体化し、其の太さは案内部５の太さよりやや小さく、且つ前記切り込み孔３巾より小さい事で、これらの円形体７が留め体４の切り込み３に夫々符号あいまって、押し圧Ｐを受けて差し込まれるが、切り込み孔３の開口部は軟質材の伸縮弾発力で、無理開きにて傾斜面３ａの端部３ｂの飛び出し直下に潜り込み閉じ、双方ガ固着されるこれらの構造に依って、書類Ａに設けた２つの綴じ孔ａに通された案内部６と、其れに連なる円形体７は、紙面に置かれた留め体４にワンタッチ操作で、書類Ａや、非結束体の結滞と解除を自在にしたことを特徴とする、留め具付き綴じ紐の構成とする。【０００９】  また請求項２での考案は、図３、図６で述べるように前記する留め体４の台座１面の溝２付き出っ張り２に並列して、凸状の抜け止め８付きでのスリット８ａを設け、これらのスリット８ａに紐状部５を挟み込み着脱可能にし、書類Ａの背面Ａａに留め体４を配置可能にした構成とする。【００１０】  次ぎにまた請求項３での考案は、図４、図７で述べるように前記する留め体４の台座１側面に設けた細長い円形体７付きの紐状部５と同じものを、もう一本を台座１側面にそれらの反対側に一体化し、更には前記留め体４相当の部位を２列にし、双方の切り込み孔３に、夫々の紐状部５の円形体７を差し込み着脱自在にし、書類Ａの背面Ａａに留め体４を配置可能にした構成とする。
【考案の効果】
【００１１】  本考案は上述の通り構成作用するので次の優れた効果を奏する。即ち請求項１での考案は、留め体４の台座１に設けた細長い紐状部５の端子の持つ棒状の案内部６を書類Ａの綴じ孔ａに差し込み紐状部５の具備する円形体４を留め体４に開口する切り込み孔３に押し込むむだけでのワンタッチ操作で、綴じ紐を結ぶ事無く書類Ａをフアィルすることの出来る、留め具付き綴じ紐を提供出来る。【００１２】  次ぎに又請求項２での考案は、前記する台座１面に溝２付き出っ張り２を追加し、書類Ａのフアィル後に留め体４を書類Ａの背面Ａａに置き、これらの結滞がずれない様に紐状部５を溝２に挟んで留め体４を背面Ａａに定着出来、書類Ａ紙面に留め体４の出っ張りが無いので，テーブルに多重積みの保管の出来る、留め具付き綴じ紐を提供出来る。【００１３】  次ぎに又請求項３での考案は、２本の円形体４付きの紐状部５を２つの綴じ孔ａに夫々差し込み、台座１面の２個の切り込み孔３に押し込んで、書類Ａの背面Ａａに留め体４を定着の出来る、留め具付き綴じ紐を提供出来る。
【考案を実施するための最良の形態】
【００１４】  以下図示の実施例に基づいて説明する。図１は本考案での第一実施例での全体を示す斜視図で、図２（ａ），（ｂ）は同じ第一実施例での要部縦断面図を示す。即ち軟質材合成樹脂成形品ウレタンゴム材等で成る薄い円形状の台座１の面上に矩形状の出っ張り２ａの２分割での長手方向に細い底付きの溝２を開口し、これらの開口部の２辺のとば口に等間隔で幾つかの切り込み孔３が、該溝２巾よりやや広く底面に向け開口するが、これらの切り込み孔３は、開口部に傾斜面３ａを設け、これらの傾斜面３ａの端部３ｂは、切り込み孔３の内側にわずかにはみ出した切り込み孔３でなる留め体４を構成する。【００１５】  更に軟質材での台座１の側面に一体化する細長い紐状部５が連結し、これらの端子は棒状の案内部６とし、其の太さは紐状部５より太いが、書類に開口する２つの綴じ孔ａを貫通する太さにしなければならづ、且つこれらの細長く丸い線状の紐状部５には、前記台座１の面上の出っ張り２ａに開口する幾つかの切り込み孔３の等間隔に任意に符号する間隔で設けた円形体７が紐状部５の外周に沿うって一体化し連なる構成とする。【００１６】  このように紐状部５と留め部４とで成る、留め具付き綴じ紐は、綴じ様とする書類Ａに開口する綴じ孔ａに紐状部５端子の棒状の案内部６を指し込み、引っ張りながら紐状部５の外周に等間隔に一体化して設けた円形体７を、留め体４に設けた切り込み孔３の開口部の傾斜面３ａに合わせ、押し付ける事で溝２の２辺が図２（ｂ）で示す様に、矢印ａ方向に軟質材の伸縮弾発力を受けながら開き切り込み３に潜り込み、傾斜面３ａの端部３ｂ直下に収納形態で溝２の２辺が軟質材の復元力で元の形態に閉じ、持ち上げる力によって円形体７は切り込み孔３から外される構成である。【００１７】  次ぎに図３は本考案での第二実施例での全体を示す斜視図で、図６は本考案での同じ第二実施例での使用例の平面図を示すもので、前記する留め体４の台座１の面に上に凸状の有底で溝２付きでの、長細い出っ張り２ａに並列し、細長い凸状で頂部に抜け止め８付きでのスリット８ａを構成し、図６で示す様に書類Ａをファイルするのに背面Ａａに止め体４を配置し、これらの切り込み孔３に紐状部５の円形体７を押し込んだあとに、遊んでいる紐状部５をスリット８ａに挟み込み、抜け止め８の下方に押し込む事で留め体４は、安定的に背面Ａａにホールドの出来る構成とする。【００１８】  この場合スリット８ａの溝巾は紐状部５の太さで良く、抜け止め８での溝巾は紐状部５の太さよりやや小さし、無理嵌めでの軟質材の弾発力を受け着脱自在での構成が望まれる。【００１９】  次ぎに又図４は本考案での第三実施例での全体を示す斜視図で、図７は本考案での同じ第三実施例での使用例の平面図を示すもので、前記する留め体４の台座１の両側面に夫々一本のほぼ同じ長さでの紐状部５を一体化し、これらの夫々の細長い２本の紐状部５の外周には、等間隔で円形体７を一体化での構成にする。【００２０】  これらの２本の紐状部５に一体化する夫々の円形体７に符号して差し込まれる留め体４の切り込み孔３は，おのずから並列して台座１に溝２付き出っ張り２ａを設ける事で、図７で示す様に書類Ａでのファイルするのに、夫々の一本の紐状���５が綴じ孔ａに差し込まれて背面Ａａに配置した留め体４の２本の夫々の切り込み孔３に押し込まれホールドされ、案内部６を摘んで引っ張る事で、書類Ａの綴じ込みと解きを結ぶ事のないワンタッチ操作で自在にした構成であ。
【図面の簡単な説明】
【００２１】
【図１】  本考案に係わる第一実施例での全体を示す斜視図である
【図２】  図中（ａ）図は本考案に係わる第一実施例での要部断面図である  図中（ｂ）図は本考案に係わる第一実施例で使用例での要部断面図である
【図３】  本考案に係わる第二実施例での全体を示す斜視図である
【図４】  本考案に係わる第三実施例での全体を示す斜視図である
【図５】  本考案に係わる第一実施例で使用例での正面図である
【図６】  本考案に係わる第二実施例で使用例での平面図である
【図７】  本考案に係わる第三実施例で使用例での平面図である
【符号の説明】
【００２２】    １  台座
２  溝
２ａ出っ張り
３  切り込み孔
３ａ傾斜面
３ｂ端部
４  留め体
５  紐状部
６  案内部
７  円形体
８  抜け止め
８ａスリット
Ａ  書類
【図１】
0003126189.tif 000003
【図２】
0003126189.tif 000004
【図３】
0003126189.tif 000005
【図４】
0003126189.tif 000006
【図５】
0003126189.tif 000007
【図６】
0003126189.tif 000008
【図７】
0003126189.tif 000009